(57)【要約】【課題】ウェブサーバコンピュータ等の中央装置から、携帯型電話機等の端末装置へ、小説、漫画等のストーリーを含む複数の送信情報を所定の順序で送信するサービスにおいて、ユーザに対して新たな昂揚感を与える通信方法、通信システム、中央装置及びコンピュータプログラムを提供する。【解決手段】携帯型電話機２は、第１送信情報の送信を要求する送信要求を中央装置１へ送信する。中央装置１は、送信要求を受信し、第１送信情報を送信要求の送信元の携帯型電話機２へ送信する。そして中央装置１は、第１送信情報を送信後、所定の時間条件を満足したか否かを判定し、時間条件を満足したと判定した場合、次に送信すべき第２通信属性の第２送信情報を、電子メールの形式で送信する。【選択図】図１
2008059215.tif 000002
【特許請求の範囲】
【請求項１】
中央装置及び該中央装置と通信することが可能な端末装置を用い、前記中央装置は、連続性のある内容の複数件の通信処理を所定の順序で実行する通信方法において、
前記中央装置は、
前記端末装置から通信処理の実行を要求する処理実行要求を受信した場合に、第１通信処理を前記端末装置に対して実行し、
第１通信処理を実行後、所定の時間条件を満足したときに、第１通信処理の次に実行すべき第２通信処理を実行する
ことを特徴とする通信方法。
【請求項２】
中央装置及び該中央装置と通信することが可能な端末装置を用い、前記中央装置は、連続性のある内容の複数件の通信処理を所定の順序で実行する通信方法において、
各通信処理は、処理条件を示す通信属性を有し、
前記中央装置は、
前記端末装置から通信処理の実行を要求する処理実行要求を受信した場合に、第１通信属性の第１通信処理を前記端末装置に対して実行し、
第１通信処理を実行後、所定の時間条件を満足したときに、第１通信属性と異なる第２通信属性で、第１通信処理の次に実行すべき第２通信処理を実行する
ことを特徴とする通信方法。
【請求項３】
中央装置及び該中央装置と通信することが可能な端末装置を備え、前記中央装置から連続性のある内容の複数の送信情報を所定の順序で送信する通信システムにおいて、
前記中央装置は、
通信条件を示す通信属性が付与された複数の送信情報を記録する記録手段と、
前記端末装置から送信要求を受信した場合に、第１通信属性の第１送信情報を前記端末装置へ送信する第１送信手段と、
第１送信情報を送信後、所定の時間条件を満足したときに、第１通信属性と異なる第２通信属性で、第１送信情報の次に送信すべき第２送信情報を送信する第２送信手段と
を備えることを特徴とする通信システム。
【請求項４】
前記通信条件は、送信形式を含み、
前記第１送信手段は、第１通信属性の送信情報をウェブページの形式で送信する様に構成してあり、
前記第２送信手段は、第２通信属性の送信情報を電子メールの形式で送信する様に構成してある
ことを特徴とする請求項３に記載の通信システム。
【請求項５】
前記第２通信属性の送信情報を送信する所定の時間条件は、所定時間の経過又は所定の時刻への到達であることを特徴とする請求項３又は請求項４に記載の通信システム。
【請求項６】
前記記録手段は、前記端末装置に関する属性を示す端末属性に対応付けて、連続性のある内容の複数の送信情報を含む送信情報群を複数記録する様に構成してあり、
前記中央装置は、
送信情報の送信先となる端末装置に係る端末属性に対応付けられた送信情報群を、送信すべき送信情報群として選択する手段を更に備える
ことを特徴とする請求項３乃至請求項５のいずれかに記載の通信システム。
【請求項７】
中央装置及び該中央装置と通信をすることが可能な端末装置を備え、前記中央装置にて連続性のある内容の複数件の通信処理を所定の順序で実行する通信システムにおいて、
前記中央装置は、
処理条件を示す複数属性が付与された複数の送信処理に係る情報を記録する記録手段と、
前記端末装置から通信処理の実行を要求する処理実行要求を受信した場合に、第１通信属性の第１通信処理を前記端末装置に対して実行する第１実行手段と、
第１通信処理を実行後、所定の時間条件を満足したときに、第１通信属性と異なる第２通信属性で、第１通信処理の次に実行すべき第２通信処理を実行する第２実行手段と
を備えることを特徴とする通信システム。
【請求項８】
前記処理条件は、通信方法を含み、
前記記録手段は、通信処理に係る情報として送信情報及び電話番号を記録する様に構成してあり、
前記第１実行手段は、第１通信属性の第１通信処理として、通信処理に係る情報として記録している送信情報を送信する様に構成してあり、
前記第２実行手段は、第２通信属性の第２通信処理として、通信処理に係る情報として記録している電話番号に発呼する様に構成してある
ことを特徴とする請求項７に記載の通信システム。
【請求項９】
他の通信装置と通信する手段を備え、連続性のある内容の複数の送信情報を所定の順序で送信する中央装置において、
前記他の装置から送信要求を受信した場合に、第１送信情報を前記他の装置へ送信する手段と、
第１送信情報を送信後、所定の時間条件を満足したときに、第１送信情報の次に送信すべき第２送信情報を送信する手段と
を備えることを特徴とする中央装置。
【請求項１０】
他の装置と通信する手段を備え、連続性のある内容の複数の送信情報を所定の順序で送信する中央装置において、
通信条件を示す通信属性が付与された複数の送信情報を記録する手段と、
前記他の装置から送信要求を受信した場合に、第１通信属性の第１送信情報を前記他の装置へ送信する手段と、
第１送信情報を送信後、所定の時間条件を満足したときに、第１通信属性と異なる第２通信属性で、第１送信情報の次に送信すべき第２送信情報を送信する手段と
を備えることを特徴とする中央装置。
【請求項１１】
他の装置と通信する手段を備えるコンピュータに、連続性のある内容の複数の送信情報を所定の順序で送信させるコンピュータプログラムにおいて、
コンピュータに、前記他の装置から送信要求を受信した場合に、通信条件を示す通信属性が付与された複数の送信情報の中で、第１通信属性の第１送信情報を前記他の装置へ送信させる手順と、
コンピュータに、第１送信情報を送信後、所定の時間条件を満足したときに、第１通信属性と異なる第２通信属性で、第１送信情報の次に送信すべき第２送信情報を送信させる手順と
を実行させることを特徴とするコンピュータプログラム。
【発明の詳細な説明】
【技術分野】
【０００１】
本発明は、中央装置及び該中央装置と通信することが可能な端末装置を用い、前記中央装置から連続性のある内容の複数件の通信処理を所定の順序で送信する通信方法、該通信方法を適用した通信システム、該通信システムにて用いられる中央装置、並びに該中央装置を実現するためのコンピュータプログラムに関し、特に小説、漫画等の連続性のある内容の送信情報をユーザに配信する形態において、ユーザに新たな昂揚感を与える通信方法、通信システム、中央装置及びコンピュータプログラムに関する。
【背景技術】
【０００２】
ウェブサーバコンピュータ等の中央装置から携帯型電話機へ、小説、漫画等のストーリーを含む複数の送信情報を所定の順序で送信するサービスが普及し始めている。
【０００３】
なお複数の送信情報を電子メールとして所定の順序で送信する送信方法が例えば特許文献１に開示されている。
【特許文献１】特開２００２−１３２６８６号公報
【発明の開示】
【発明が解決しようとする課題】
【０００４】
しかしながら送信情報を所定の順序で送信するだけの従来のサービスでは、ストーリー自体以外に、携帯型電話機を操作するユーザに対して昂揚感を与えることは無く、倦怠感を感じさせる場合があるという問題がある。
【０００５】
特許文献１に記載されている送信方法は、予め設定されている時間間隔で電子メールを送信するだけなので、昂揚感に乏しいという点では同様である。
【０００６】
本発明は斯かる事情に鑑みてなされたものであり、携帯型電話機から送信要求を受信した場合に送信する第１通信属性の送信情報と、第１通信属性の送信情報を送信後、所定の時間条件を満足したときに送信する第２通信属性の送信情報とを使い分けることにより、送信情報の送信方法に変化を持たせ、ユーザに対して新たな昂揚感を与えることが可能な通信方法、該通信方法を適用した通信システム、該通信システムにて用いられる中央装置、並びに該中央装置を実現するためのコンピュータプログラムの提供を目的とする。
【課題を解決するための手段】
【０００７】
第１発明に係る通信方法は、中央装置及び該中央装置と通信することが可能な端末装置を用い、前記中央装置は、連続性のある内容の複数件の通信処理を所定の順序で実行する通信方法において、前記中央装置は、前記端末装置から通信処理の実行を要求する処理実行要求を受信した場合に、第１通信処理を前記端末装置に対して実行し、第１通信処理を実行後、所定の時間条件を満足したときに、第１通信処理の次に実行すべき第２通信処理を実行することを特徴とする。
【０００８】
本発明では、所定の時間条件を満足したときに第２通信処理を実行することにより、通信処理に変化を持たせ、ユーザに対して新たな昂揚感を与えることが可能である。
【０００９】
第２発明に係る通信方法は、中央装置及び該中央装置と通信することが可能な端末装置を用い、前記中央装置は、連続性のある内容の複数件の通信処理を所定の順序で実行する通信方法において、各通信処理は、処理条件を示す通信属性を有し、前記中央装置は、前記端末装置から通信処理の実行を要求する処理実行要求を受信した場合に、第１通信属性の第１通信処理を前記端末装置に対して実行し、第１通信処理を実行後、所定の時間条件を満足したときに、第１通信属性と異なる第２通信属性で、第１通信処理の次に実行すべき第２通信処理を実行することを特徴とする。
【００１０】
本発明では、異なる通信条件に基づいて異なる通信属性の通信処理を実行することにより、通信処理に変化を持たせることが可能である。
【００１１】
第３発明に係る通信システムは、中央装置及び該中央装置と通信することが可能な端末装置を備え、前記中央装置から連続性のある内容の複数の送信情報を所定の順序で送信する通信システムにおいて、前記中央装置は、通信条件を示す通信属性が付与された複数の送信情報を記録する記録手段と、前記端末装置から送信要求を受信した場合に、第１通信属性の第１送信情報を前記端末装置へ送信する第１送信手段と、第１送信情報を送信後、所定の時間条件を満足したときに、第１通信属性と異なる第２通信属性で、第１送信情報の次に送信すべき第２送信情報を送信する第２送信手段とを備えることを特徴とする。
【００１２】
本発明では、異なる通信条件に基づいて異なる属性の送信情報を送信することにより、送信情報の送信方法に変化を持たせることが可能である。
【００１３】
第４発明に係る通信システムは、第３発明において、前記通信条件は、送信形式を含み、前記第１送信手段は、第１通信属性の送信情報をウェブページの形式で送信する様に構成してあり、前記第２送信手段は、第２通信属性の送信情報を電子メールの形式で送信する様に構成してあることを特徴とする。
【００１４】
本発明では、第１通信属性の送信情報をユーザ自らが積極的に取得するプルタイプの情報であるウェブページとし、第２通信属性の送信情報をユーザに対して自動的に送信するプッシュタイプの情報である電子メールとすることにより、一連の送信情報を異なる方法でユーザに提供することが可能である。
【００１５】
第５発明に係る通信システムは、第３発明又は第４発明において、前記第２通信属性の送信情報を送信する所定の時間条件は、所定時間の経過又は所定の時刻への到達であることを特徴とする。
【００１６】
本発明では、体感により時間の経過をユーザに意識させることが可能である。
【００１７】
第６発明に係る通信システムは、第３発明乃至第５発明のいずれかにおいて、前記記録手段は、前記端末装置に関する属性を示す端末属性に対応付けて、連続性のある内容の複数の送信情報を含む送信情報群を複数記録する様に構成してあり、前記中央装置は、送信情報の送信先となる端末装置に係る端末属性に対応付けられた送信情報群を、送信すべき送信情報群として選択する手段を更に備えることを特徴とする。
【００１８】
本発明では、端末装置に関する属性、例えば端末装置を操作するユーザの性別、年齢、住所等の属性に応じて異なるストーリーを提供することが可能である。
【００１９】
第７発明に係る通信システムは、中央装置及び該中央装置と通信をすることが可能な端末装置を備え、前記中央装置にて連続性のある内容の複数件の通信処理を所定の順序で実行する通信システムにおいて、前記中央装置は、処理条件を示す複数属性が付与された複数の送信処理に係る情報を記録する記録手段と、前記端末装置から通信処理の実行を要求する処理実行要求を受信した場合に、第１通信属性の第１通信処理を前記端末装置に対して実行する第１実行手段と、第１通信処理を実行後、所定の時間条件を満足したときに、第１通信属性と異なる第２通信属性で、第１通信処理の次に実行すべき第２通信処理を実行する第２実行手段とを備えることを特徴とする。
【００２０】
本発明では、異なる処理条件に基づいて異なる属性の送信情報の送信等の通信処理を実行することにより、通信処理に変化を持たせることが可能である。
【００２１】
第８発明に係る通信システムは、第７発明において、前記処理条件は、通信方法を含み、前記記録手段は、通信処理に係る情報として送信情報及び電話番号を記録する様に構成してあり、前記第１実行手段は、第１通信属性の第１通信処理として、通信処理に係る情報として記録している送信情報を送信する様に構成してあり、前記第２実行手段は、第２通信属性の第２通信処理として、通信処理に係る情報として記録している電話番号に発呼する様に構成してあることを特徴とする。
【００２２】
本発明では、送信情報の送信、発呼等の通信処理を組み合わせることにより、通信処理に変化を持たせることが可能である。
【００２３】
第９発明に係る中央装置は、他の通信装置と通信する手段を備え、連続性のある内容の複数の送信情報を所定の順序で送信する中央装置において、前記他の装置から送信要求を受信した場合に、第１送信情報を前記他の装置へ送信する手段と、第１送信情報を送信後、所定の時間条件を満足したときに、第１送信情報の次に送信すべき第２送信情報を送信する手段とを備えることを特徴とする。
【００２４】
本発明では、所定の時間条件を満足したときに第２通信処理を実行することにより、通信処理に変化を持たせ、ユーザに対して新たな昂揚感を与えることが可能である。
【００２５】
第１０発明に係る中央装置は、他の装置と通信する手段を備え、連続性のある内容の複数の送信情報を所定の順序で送信する中央装置において、通信条件を示す通信属性が付与された複数の送信情報を記録する手段と、前記他の装置から送信要求を受信した場合に、第１通信属性の第１送信情報を前記他の装置へ送信する手段と、第１送信情報を送信後、所定の時間条件を満足したときに、第１通信属性と異なる第２通信属性で、第１送信情報の次に送信すべき第２送信情報を送信する手段とを備えることを特徴とする。
【００２６】
本発明では、異なる通信条件に基づいて異なる属性の送信情報を送信することにより、送信情報の送信方法に変化を持たせることが可能である。
【００２７】
第１１発明に係るコンピュータプログラムは、他の装置と通信する手段を備えるコンピュータに、連続性のある内容の複数の送信情報を所定の順序で送信させるコンピュータプログラムにおいて、コンピュータに、前記他の装置から送信要求を受信した場合に、通信条件を示す通信属性が付与された複数の送信情報の中で、第１通信属性の第１送信情報を前記他の装置へ送信させる手順と、コンピュータに、第１送信情報を送信後、所定の時間条件を満足したときに、第１通信属性と異なる第２通信属性で、第１送信情報の次に送信すべき第２送信情報を送信させる手順とを実行させることを特徴とする。
【００２８】
本発明では、ウェブサーバコンピュータ等のコンピュータにて実行することにより、コンピュータが中央装置として動作し、異なる通信条件に基づいて異なる属性の送信情報を送信することにより、送信情報の送信方法に変化を持たせることが可能である。
【発明の効果】
【００２９】
本発明に係る通信方法、通信システム、中央装置及びコンピュータプログラムは、ウェブサーバコンピュータ等の中央装置と、携帯型電話機等の端末装置とを用い、小説、漫画等の連続性のある内容の複数の送信情報を所定の順序で送信するサービスにおいて、中央装置は、端末装置からの送信要求を受信した場合に、第１通信属性の第１送信情報を端末装置へ送信し、第１送信情報の送信後、第１送信情報と通信条件を示す属性が異なる第２通信属性の第２送信情報を送信する。
【００３０】
この構成により、本発明では、送信情報の送信方法に変化を持たせることができるので、端末装置を操作するユーザに対し、同じ方法で送信情報が送信される場合と異なり、今までにない新たな昂揚感を与えることが可能である等、優れた効果を奏する。
【００３１】
しかも本発明は、第１通信属性の送信情報をユーザ自らが積極的に取得するプルタイプの情報であるウェブページとし、第２通信属性の送信情報をユーザに対して自動的に送信するプッシュタイプの情報である電子メールとすることにより、一連の送信情報を異なる方法でユーザに提供することが可能である等、優れた効果を奏する。
【００３２】
また本発明は、第１送信情報を送信後、所定の経過時間又は所定の時刻に到達した場合に、第２送信情報を送信することにより、例えば時間の経過がストーリーの展開に重要な意味を持つ小説を提供する場合には、体感により時間の経過をユーザに意識させることが可能である等、優れた効果を奏する。
【００３３】
さらに本発明は、端末装置に関する属性、例えば端末装置を操作するユーザの性別、年齢、住所等の属性に応じて異なるストーリーを提供することが可能である等、優れた効果を奏する。
【００３４】
さらに本発明において、中央装置は、端末装置からの送信要求を受信した場合に、送信情報の送信等の第１通信属性に係る通信処理を実行し、第１通信属性に係る通信処理を実行後、予め記録している電話番号への発呼等の第２通信属性に係る通信処理を実行する。
【００３５】
この構成により、本発明では、単に送信情報を送信するだけでなく、発呼等の様々な通信処理を組み合わせて通信処理に変化を持たせることができるので、端末装置を操作するユーザに対し、今までにない新たな昂揚感を与えることが可能である等、優れた効果を奏する。
【発明を実施するための最良の形態】
【００３６】
以下、本発明をその実施の形態を示す図面に基づいて詳述する。
【００３７】
実施の形態１．
図１は、本発明の実施の形態１における通信システムの構成を概念的に示す説明図である。図１中１は、ウェブサーバコンピュータ等のコンピュータを用いた本発明の中央装置であり、中央装置１は、インターネット、携帯電話網等の通信網１００に接続し、通信網１００を介して端末装置として用いられる携帯型電話機２と通信する。そして中央装置１は、通信網１００を介して、小説、漫画等の連続性のある内容の複数の送信情報を所定の順序で携帯型電話機２へ送信するサービスを提供している。なおここでは携帯型電話機２として以降の説明を行うが、無線通信が可能なＰＤＡ、ＰＨＳ等の様々な端末装置の他、有線通信が可能なパーソナルコンピュータ等の端末装置を用いることが可能である。
【００３８】
図２は、本発明の実施の形態１における通信システムが備える各種装置の構成を示すブロック図である。中央装置１は、装置全体を制御するＣＰＵ(Central Processing Unit) 等の制御手段１０と、本発明のコンピュータプログラム２００及びデータ等の情報を記録したＣＤ−ＲＯＭ等の記録媒体から各種情報を読み取るＣＤ−ＲＯＭドライブ等の補助記憶手段１１と、補助記憶手段１１にて読み取った各種情報を記録するハードディスク等の記録手段１２と、記録手段１２に記録した本発明のコンピュータプログラム２００の実行時に発生する一時的なデータを記憶するＲＡＭ等の記憶手段１３とを備えている。そして記憶手段１３に記憶した本発明のコンピュータプログラム２００を制御手段１０の制御にて実行することにより、コンピュータは、本発明の中央装置１として動作する。さらに中央装置１は、通信網１００に接続する通信手段１４と、時計、タイマとして用いられる計時手段１５とを備えている。
【００３９】
中央装置１が備える記録手段１２には、ＨＴＭＬ(Hyper-Text Markup Language)、Ｃ−ＨＴＭＬ(Compact Hyper-Text Markup Language)、ＭＭＬ(Mobile Markup Language)、ＨＤＭＬ(Handheld Device Markup Language) 等のページ記述言語で記述されたウェブページを表示させるための情報が記録されている。
【００４０】
また中央装置１が備える記録手段１２の記録領域の一部は、複数の送信情報を記録する送信情報データベース（送信情報ＤＢ）１２ａ、携帯型電話機２を操作するユーザに関する情報を記録するユーザデータベース（ユーザＤＢ）１２ｂ等の各種データベースとして用いられている。なお中央装置１が備える記録手段１２の記録領域の一部を各種データベースとして用いるのではなく、中央装置１に接続する他の装置の記録領域を各種データベースとして用いる様にしても良い。
【００４１】
携帯型電話機２は、装置全体を制御するＣＰＵ等の制御手段２０、各種処理に必要なコンピュータプログラム及びデータ等の情報を記録するＲＯＭ(Read Only Memory)、ＲＡＭ(Random Access Memory)等の記録手段２１を備えている。さらに制御手段２０は、電話通信及びデータ通信を制御する通信制御手段２２を制御し、通信制御手段２２は、電話通信用のデジタル音声情報、ページ記述言語で記述された各種デジタルデータ等の情報を送受信するアンテナ及びその付属回路等の通信手段２３を制御する。また制御手段２０は、スピーカ等の音声出力手段２４から出力する音声信号及びマイク等の音声入力手段２５から入力される音声信号の変換処理を行う音声処理手段２６を制御する。音声処理手段２６による変換処理とは、音声出力手段２４から出力すべくデジタル信号をアナログ音声信号に変換する処理、及び音声入力手段２５から入力された音声に基づくアナログ音声信号をデジタル信号に変換する処理である。そして通信装置２は、制御手段２０の制御により、英数字、記号、各種命令等のキー入力を受け付ける押釦等のキー入力手段２７から入力を受け付け、キー入力された情報、送受信する情報、放送波に基づく画像等の各種情報を表示する液晶ディスプレイ等の表示手段２８に必要な情報を表示させる。
【００４２】
携帯型電話機２が備える記録手段２１には、Ｃ−ＨＴＭＬ、ＭＭＬ、ＨＤＭＬ等のページ記述言語で記述された各種情報をウェブページとして表示するための閲覧用ソフトウェアプログラム、電子メールを送受信するための電子メール送受信用ソフトウェアプログラム等の各種プログラムが記録されている。また携帯型電話機２が備える記録手段２１には、自機を識別する電話番号等の識別情報が予め記録されている。
【００４３】
図３は、本発明の実施の形態１における中央装置１が備える送信情報データベース１２ａの記録内容を概念的に示す説明図である。送信情報データベース１２ａには、送信順序が設定された複数の送信情報が記録されており、複数の送信情報は、設定された送信順序に従って中央装置１から送信される。また各送信情報には、送信時期（時間条件）、送信方法等の通信条件を示す通信属性が付与されている。そしてページ記述言語で記述された送信情報の内容そのものが記録されている。
【００４４】
第０通信属性の送信情報は、携帯型電話機２からアクセス、即ち送信要求を受信した場合に、ウェブページの形式で、中央装置１から携帯型電話機２へ送信される。第１通信属性の送信情報は、携帯型電話機２から送信要求を受信した場合に、ウェブページの形式で、中央装置１から携帯型電話機２へ送信される。第２通信属性の送信情報は、第１通信属性の送信情報を送信後、所定の時間条件を満足した場合に、電子メールの形式で中央装置１から送信される。第０通信属性の送信情報と第１通信属性の送信情報とは、送信要求に対して送信するという通信条件は同様であり、第１通信属性の送信情報が、第２通信属性の送信情報の送信時期を決定する契機となるという点で異なる。第２通信属性の送信情報は、第１送信情報の送信後、所定時間の経過、所定の時刻への到達等の所定の時間条件を満足した場合に自動的に中央装置１から送信される。
【００４５】
また送信情報データベース１２ａに記録されている送信情報は、連続性のある内容の複数の送信情報により送信情報群を構成している。更に送信情報データベース１２ａは、連続性のある内容、即ち一連のストーリーを構成する送信情報群が複数記録してあり、各送信情報群は、携帯型電話機２に係る属性、即ち携帯型電話機を操作するユーザの属性に対応付けて記録されている。
【００４６】
図４は、本発明に実施の形態１における中央装置１が備えるユーザデータベース１２ｂの記録内容を概念的に示す説明図である。ユーザデータベース１２ｂには、ユーザを識別するユーザＩＤに対応付けて、ログインパスワード等の認証情報、電子メールアドレス、電話番号等の通信先情報、更には性別、年齢、住所等のユーザの属性を示す属性情報が記録されている。
【００４７】
次に本発明の実施の形態１における通信システムが備える各種装置の処理について説明する。図５及び図６は、本発明の実施の形態１における通信システムが備える各種装置の処理を示すフローチャートである。ユーザは、携帯型電話機２を操作して、中央装置１にて提供されるウェブページにアクセスし、ユーザＩＤ及びパスワードの入力等の認証操作を行う。
【００４８】
中央装置１は、コンピュータプログラム２００を実行する制御手段１０の制御により、ユーザＩＤ及びパスワードの照合等の認証処理を実行し（Ｓ１０１）、認証処理に用いたユーザＩＤをキーとして、ユーザデータベース１２ｂから当該ユーザの属性を示す属性情報、即ち送信情報の送信先となる携帯型電話機２に係る属性情報を抽出し（Ｓ１０２）、抽出した属性情報に対応付けて送信情報データベース１２ａに記録されている送信情報群を、送信すべき送信情報群として選択する（Ｓ１０３）。
【００４９】
そして中央装置１は、制御手段１０の制御により、選択した送信情報群の中で設定された送信順序が１番である送信情報を、送信情報データベース１２ａから抽出し（Ｓ１０４）、抽出した送信情報を通信手段１４から通信網１００を介して、アクセス元の携帯型電話機２へ送信する（Ｓ１０５）。なおここではステップＳ１０４にて抽出する送信情報を、説明の便宜上、第０通信属性の第０送信情報とする。送信される第０送信情報は、第０通信属性であるので、ウェブページの形式で送信される。
【００５０】
携帯型電話機２は、通信手段２３にて第０送信情報を受信し（Ｓ１０６）、受信した送信情報に基づくウェブページを文字及び／又は画像として表示手段２８に表示する（Ｓ１０７）。表示手段２３に表示された第０送信情報に基づく画像には、送信情報の本来の内容であるテキスト及び／又は画像とともに、送信情報を視認したことを通知し、かつ次の順番の送信情報の送信を要求するアクセス先を示す情報、例えば次の送信情報そのもの又は次の送信情報を送信させるプログラムが記録されているＵＲＬ(Universal Resource Locator)が示されている。そしてユーザは、表示されている送信情報を視認後、示されているＵＲＬにアクセスする操作を行う。
【００５１】
携帯型電話機２は、キー入力手段２７から、中央装置１にアクセスして次の順番の送信情報の送信を要求する操作を受け付け（Ｓ１０８）、次の順番の送信情報の送信を要求する送信要求を、通信網１００を介して中央装置１へ送信する（Ｓ１０９）。
【００５２】
中央装置１は、制御手段１０の制御により、通信手段１４にて送信要求を受信し（Ｓ１１０）、受信した送信要求に対し、次に送信すべき順番の送信情報を、送信情報データベース１２ａから抽出し（Ｓ１１１）、抽出した送信情報を通信手段１４から通信網１００を介して、送信要求の送信元の携帯型電話機２へ送信する（Ｓ１１２）。なおここでは、ステップＳ１１１にて抽出する送信情報を、説明の便宜上、第１通信属性の第１送信情報とする。送信される第１送信情報は、第１通信属性であるので、ウェブページの形式で送信される。
【００５３】
携帯型電話機２は、通信手段２３にて第１送信情報を受信し（Ｓ１１３）、受信した送信情報に基づくウェブページを文字及び／又は画像として表示手段２８に表示する（Ｓ１１４）。表示手段２３に表示された第１送信情報に基づく画像には、送信情報の本来の内容であるテキスト及び／又は画像とともに、送信情報を視認したことを通知するＵＲＬ等の情報又は通知するための命令を実行する情報が示されている。そしてユーザは、表示されている送信情報を視認後、示されている情報を指示する操作を行う。
【００５４】
携帯型電話機２は、キー入力手段２７から、送信情報を視認したことを中央装置１へ通知する操作を受け付け（Ｓ１１５）、視認したことを通知する通知情報を、通信網１００を介して中央装置１へ送信する（Ｓ１１６）。なお携帯型電話機２が第１送信情報に基づく画像を表示した場合に、開封通知として自動的に通知情報を送信する様にしても良い。
【００５５】
中央装置１は、制御手段１０の制御により、通信手段１４にて通知情報を受信し（Ｓ１１７）、受信した通知情報により、携帯型電話機２への第１送信情報の送信が完了したと認識する。
【００５６】
そして中央装置１は、制御手段１０の制御により、第１送信情報を送信後、所定の時間条件を満足したか否かを判定する（Ｓ１１８）。ステップＳ１１８の所定の時間条件とは、第１送信情報の送信から３時間後等の所定時間が経過した時点、第１送信情報の送信後、最初に午後９時に到達した時等の所定の時刻へ到達した時点等の条件である。なお第１送信情報の送信時刻としては、第１送信情報を中央装置１から送信した時刻を用いても良く、また通知情報を受信した時刻を送信が完了した時刻と見なして通知情報を受信した時刻を用いても良い。
【００５７】
ステップＳ１１８において、時間条件を満足したと判定した場合（Ｓ１１８：ＹＥＳ）、中央装置１は、制御手段１０の制御により、次に送信すべき第２通信属性の送信情報を送信情報データベース１２ａから抽出し（Ｓ１１９）、送信先となる装置の電子メールアドレスである通信先情報をユーザデータベース１２ｂから抽出し（Ｓ１２０）、抽出した送信情報を、抽出した通信先情報が示す送信先の装置、即ち携帯型電話機２へ、通信手段１４から通信網１００を介して送信する（Ｓ１２１）。なおここではステップＳ１１９にて抽出する第２通信属性の送信情報を、第２送信情報とする。ステップＳ１２０による抽出は、ステップＳ１０１の認証処理に用いたユーザＩＤをキーとして、ユーザデータベース１２ｂに対応付けて記録されている通信先情報を抽出することにより行われる。なお通知情報にユーザＩＤを含ませるようにしても良い。ステップＳ１２１にて送信される第２送信情報は、第２通信属性であるので、電子メールの形式で送信される。
【００５８】
携帯型電話機２は、通信手段２３にて第２送信情報を受信し（Ｓ１２２）、受信した送信情報に基づく電子メールを文字及び／又は画像として表示手段２８に表示する（Ｓ１２３）。
【００５９】
ステップＳ１１８において時間条件を満足していないと判定した場合（Ｓ１１８：ＮＯ）、中央装置１は、所定時間待機後、ステップＳ１１８の判定処理を繰り返す。
【００６０】
次に中央装置１から送信され携帯型電話機２にて表示される送信情報の例について説明する。図７は、本発明の実施の形態１における通信システムにて用いられる携帯型電話機２に表示される送信情報に基づく画像を示す説明図である。図７（ａ）は、第１通信属性の第１送信情報に基づいて表示される画像の例を示しており、図７（ｂ）は、第２通信属性の第２送信情報に基づいて表示される画像の例を示している。図７（ａ）は、ユーザの属性を示す属性情報の性別が男性である場合に送信される第１送信情報に基づく画像である。図７（ａ）に示すように第１送信情報には、男性を主役としたストーリーの小説が示されており、最後に電子メールが届くことを示唆する文が示されている。図７（ｂ）は、図７（ａ）に示す第１送信情報の送信から２４時間経過後に電子メールとして送信される第２送信情報に基づく画像である。図７（ｂ）に示す様に第２送信情報には、第１送信情報の次に読むべき内容が示されている。この様に本発明の通信システムは、ウェブページとして小説を配信するサービスにおいて、ストーリーの進行に則した電子メールとして送信情報を配信することにより、ユーザに対して、小説の世界観を実感させる新たな昂揚感を与えることが可能である。
【００６１】
図８は、本発明の実施の形態１における通信システムにて用いられる携帯型電話機２に表示される送信情報に基づく画像を示す説明図である。図８（ａ）は、第１通信属性の第１送信情報に基づいて表示される画像の例を示しており、図８（ｂ）は、第２通信属性の第２送信情報に基づいて表示される画像の例を示している。図８（ａ）は、ユーザの属性を示す属性情報の性別が女性である場合に送信される第１送信情報に基づく画像である。図８（ａ）に示すように第１送信情報には、女性を主役としたストーリーの小説が示されており、最後に電子メールが届くことを示唆する文が示されている。図８（ｂ）は、図８（ａ）に示す第１送信情報の送信後、最初の午後１１時に電子メールとして送信される第２送信情報に基づく画像である。図８（ｂ）に示す様に第２送信情報には、第１送信情報の次に読むべき内容が示されている。
【００６２】
前記実施の形態１では、第１通信属性の送信情報をウェブページの形式で送信し、第２通信属性の送信情報を電子メールの形式で送信する形態を示したが本発明はこれに限らず、適宜送信の形式を設定することが可能である。例えば第２通信属性の送信情報もウェブページの形式で送信する様にしても良く、その場合、所定の時間条件を満足するまでは携帯型電話機から第２通信属性の送信情報の送信の要求に対し、要求された送信情報の送信を禁止する様に設定する。更に所定の時間条件を満足するまで、要求された送信情報の送信を単に禁止するのではなく、時間条件を満足していないことを示す送信情報の送信等の通信処理を行う様にしても良い。具体的には、前記実施の形態１の図７に示すストーリーにおいて、時間条件を満足していないことを「そう言えば今日は早く帰ってこいって言っていたけど、まだ帰れそうにないな。」等の時間が経過していないことを示す内容の送信情報により、ユーザに通知するのである。
【００６３】
また前記実施の形態１では、ユーザが送信情報を視認したことを示す操作を行い、携帯型電話機が操作を受け付けることにより通知情報を送信する形態を示したが、本発明はこれに限らず、携帯型電話機の処理により、ユーザが送信情報を視認したことを自動的に認識して通知情報を送信する様にしても良い。具体的には、予め中央装置から携帯型電話機へユーザの操作を認識するＪＡＶＡ（登録商標）等の言語にて作成された認識プログラムを送信し、携帯型電話機にて認識プログラムを実行する。そして中央装置から携帯型電話機へ１画面以上の表示量を有する送信情報を送信する。ユーザは、全ての送信情報を視認するため、スクロール、ページ切替等の操作を行う。認識プログラムでは、スクロール、ページ切替等の操作の回数及び操作間隔を検出し、送信情報の表示量、操作の回数、操作間隔等のパラメータに基づき受信した送信情報を全て視認したと判定した場合、通知情報を携帯型電話機から中央装置へ送信させる。この様に携帯型電話機は、様々な方法でユーザによる送信情報の視認（開封確認）を検出する形態に展開することが可能である。なお操作内容を都度、中央装置へ送信し、中央装置にて視認を判定する様にしても良い。
【００６４】
実施の形態２．
実施の形態２は、実施の形態１において、送信情報の送信以外の通信処理を行う形態である。実施の形態２における通信システムの構成は、実施の形態１と同様であるので、実施の形態１と同様の符号を付し、その説明を省略する。
【００６５】
図９は、本発明の実施の形態２における通信システムが備える各種装置の構成を示すブロック図である。中央装置１は、制御手段１０、補助記憶手段１１、記録手段１２及び記憶手段１３を備えている。また中央装置１は、ウェブページへのアクセス、電子メールの送受信等のデータ通信を実行するデータ通信手段１４１（実施の形態１における通信手段１４と同等）と、電話通信を実行する電話通信手段１４２とを備えている。さらに中央装置１は、計時手段１５を備えている。図９に示す様に実施の形態２における通信システムでは、中央装置１及び携帯型電話機２間でインターネット等の通信網１００ａを介したデータ通信だけでなく、携帯電話網等の通信網１００ｂを介した電話通信をも実行する。携帯型電話機２の構成は、実施の形態１と同様であるので、実施の形態１と同様の符号を付し、その説明を省略する。
【００６６】
図１０は、本発明の実施の形態２における中央装置１が備える送信情報データベース１２ａの記録内容を概念的に示す説明図である。実施の形態２における送信情報データベース１２ａには、第２通信属性の送信情報として、発呼等の通信処理の方法、及び送信情報の内容そのものである音声データが記録されている。送信情報データベース１２ａに記録されている発呼等の通信処理の方法は、例えば発呼処理を実行させるためのプログラム又は当該プログラムを実行させるための情報として記録されている。実施の形態２では、送信情報データベース１２ａの記録内容に基づき、第２通信属性の送信情報に係る通信処理として、中央装置１から通信先情報である電話番号に対して発呼し、発呼に基づき通信網１００ｂ上に確立される呼接続、即ち電話通信による通話回線を介して、送信情報である音声データに基づく音声を転送する。
【００６７】
次に本発明の実施の形態２における通信システムが備える各種装置の構成について説明する。図１１は、本発明の実施の形態２における通信システムが備える各種装置の処理を示すフローチャートである。実施の形態２の通信システムにおいて、中央装置１が認証処理を行ってから通知情報を受信するまでの処理は、実施の形態１のステップＳ１０１〜Ｓ１１７の処理と同様であるので、実施の形態１を参照するものとし、その説明を省略する。
【００６８】
通知情報を受信することにより、携帯型電話機２への第１送信情報の送信が完了したと認識した中央装置１は、制御手段１０の制御により、第１送信情報を送信後、所定の時間条件を満足したか否かを判定する（Ｓ２０１）。
【００６９】
ステップＳ２０１において、時間条件を満足したと判定した場合（Ｓ２０１：ＹＥＳ）、中央装置１は、制御手段１０の制御により、次に実行すべき第２通信属性の通信処理として送信情報データベース１２ａに記録されているプログラム等の情報に従い、送信先となる装置の電話番号である通信先情報をユーザデータベース１２ｂから抽出し（Ｓ２０２）、抽出した電話番号に対し、電話通信手段１４２にて発呼処理を行う（Ｓ２０３）。
【００７０】
そして中央装置１は、制御手段１０の制御により、携帯型電話機２との呼接続を確立する（Ｓ２０４）。なお携帯型電話機２は、中央装置１との呼接続が確立した場合、ウェブページへのアクセス等のデータ通信より優先して確立した呼接続に基づく電話通信を行う。そして中央装置１は、送信情報データベース１２ａに記録されている第２通信属性の送信情報として記録されている音声データを抽出し（Ｓ２０５）、抽出した音声データに基づく音声を電話通信手段１４２から電話回線の接続相手である携帯型電話機２に対して出力する（Ｓ２０６）。
【００７１】
携帯型電話機２は、通信手段２４にて音声を受け付け（Ｓ２０７）、受け付けた音声を音声出力手段２４から出力する（Ｓ２０８）。
【００７２】
ステップＳ２０１において時間条件を満足していないと判定した場合（Ｓ２０１：ＮＯ）、中央装置１は、所定時間待機後、ステップＳ２０１の判定処理を繰り返す。
【００７３】
なお携帯型電話機２が、受け付けた発呼に対して自動着呼を行い音声データを記録するモード、所謂留守番電話モードである場合、留守番電話に音声データに基づく音声を録音することになる。また中央装置１から携帯型電話機２へ発呼等の電話番号の通知のみを行い、通知した電話番号に対する発呼を受け付けた場合に、音声データに基づく音声を出力する様にしても良い。
【００７４】
また電話回線を接続して音声データである送信情報に係る通信を実行後、更に次の送信情報を送信する場合、音声によるＵＲＬの通知、音声データである送信情報の前の順番の送信情報へのＵＲＬの記載、ＵＲＬを示した電子メールの自動送信等の方法にて、次の送信情報と連携をすることができる。
【００７５】
前記実施の形態では、中央装置が携帯型電話機に対する呼接続を確立後、音声データに基づく音声を出力する形態を示したが、本発明はこれに限らず、予めファクシミリ装置の通信先情報であるファクシミリ番号を記録しておき、ファクシミリとして送信情報を送信する様にしても良い。
【００７６】
また前記実施の形態１及び２では、小説等の文字データを送信情報の内容とする形態を示したが、本発明はこれに限らず、漫画等の画像、組曲等の音声を送信情報の内容とする等、様々な形態に展開することが可能である。
【００７７】
さらに前記実施の形態１及び２では、ユーザの属性によって異なる送信情報群の送信情報を提供する形態を示したが、異なる送信情報群同士であっても、その一部が共通するようにし、ユーザの性別、年齢、住所等の属性によってストーリーの展開、主役等の内容が変化するようにしても良い等、様々な形態に展開することが可能である。
【００７８】
そして前記実施の形態１及び２では、第１通信属性の送信情報及び第２通信属性の送信情報の通信先が同じである形態を示したが、本発明はこれに限らず、異なる装置に対して通信処理を実行する様にしても良い。
【図面の簡単な説明】
【００７９】
【図１】本発明の実施の形態１における通信システムの構成を概念的に示す説明図である。
【図２】本発明の通信システムが備える各種装置の構成を示すブロック図である。
【図３】本発明の実施の形態１における中央装置が備える送信情報データベースの記録内容を概念的に示す説明図である。
【図４】本発明に実施の形態１における中央装置が備えるユーザデータベースの記録内容を概念的に示す説明図である。
【図５】本発明の実施の形態１における通信システムが備える各種装置の処理を示すフローチャートである。
【図６】本発明の実施の形態１における通信システムが備える各種装置の処理を示すフローチャートである。
【図７】本発明の実施の形態１における通信システムにて用いられる携帯型電話機に表示される送信情報に基づく画像を示す説明図である。
【図８】本発明の実施の形態１における通信システムにて用いられる携帯型電話機に表示される送信情報に基づく画像を示す説明図である。
【図９】本発明の実施の形態２における通信システムが備える各種装置の構成を示すブロック図である。
【図１０】本発明の実施の形態２における中央装置が備える送信情報データベースの記録内容を概念的に示す説明図である。
【図１１】本発明の実施の形態２における通信システムが備える各種装置の処理を示すフローチャートである。
【符号の説明】
【００８０】
１  中央装置
２  携帯型電話機
１００，１００ａ，１００ｂ  通信網
２００  コンピュータプログラム
【図１】
2008059215.tif 000003
【図２】
2008059215.tif 000004
【図３】
2008059215.tif 000005
【図４】
2008059215.tif 000006
【図５】
2008059215.tif 000007
【図６】
2008059215.tif 000008
【図７】
2008059215.tif 000009
【図８】
2008059215.tif 000010
【図９】
2008059215.tif 000011
【図１０】
2008059215.tif 000012
【図１１】
2008059215.tif 000013